(57)【要約】【課題】飲料缶の開栓作業を極めて容易に行うことができるとともに、一旦開栓した後であっても再び密封性の高い状態に蓋をすることが可能であり、しかも構造が簡単であって従来の生産設備を流用して生産コストを低く抑えることが可能な飲料缶のリキャップ可能な缶蓋構造を提供すること。【解決手段】飲み口となる開口部を形成するための切り込み部が上面に設けられた飲料缶と、該飲料缶の上面に嵌着されるキャップとから構成されてなり、前記キャップは、飲料缶の上面に嵌着した状態で上部より押し込むことにより前記切り込み部の内側を打ち抜いて開口部を形成する筒状のノズル部と、該ノズル部の上面を覆うように着脱可能に嵌合される上蓋とを備えてなることを特徴とする飲料缶のリキャップ可能な缶蓋構造。【選択図】　図６
2004001782.tif 000002
【特許請求の範囲】
【請求項１】
飲み口となる開口部を形成するための切り込み部が上面に設けられた飲料缶と、該飲料缶の上面に嵌着されるキャップとから構成されてなり、前記キャップは、飲料缶の上面に嵌着した状態で上部より押し込むことにより前記切り込み部の内側を打ち抜いて開口部を形成する筒状のノズル部と、該ノズル部の上面を覆うように着脱可能に嵌合される上蓋とを備えてなることを特徴とする飲料缶のリキャップ可能な缶蓋構造。
【請求項２】
前記飲料缶の上面に、前記キャップを飲料缶の上面に嵌着したときにノズル部が嵌入する凹部が形成され、該凹部に前記切り込み部が形成されてなることを特徴とする請求項１記載の飲料缶のリキャップ可能な缶蓋構造。
【請求項３】
前記上蓋が、ノズル部の上面を覆うプレート部と、該プレート部の下方に延出されてノズル部に嵌着される嵌着部とからなり、前記プレート部の一端部がキャップの上面に対して回動可能に固着されてなることを特徴とする請求項１又は２記載の飲料缶のリキャップ可能な缶蓋構造。
【請求項４】
前記プレート部の他端部が、上面視にてキャップの上面から突出してなることを特徴とする請求項３記載の飲料缶のリキャップ可能な缶蓋構造。
【請求項５】
上面の飲み口となる部分に設けられた凹部と該凹部に形成された切り込み部を有する飲料缶と、該飲料缶の凹部の上部を覆うように嵌合される嵌合部と飲料缶の上面に係着された係着部を有するキャップとを備え、該キャップは前記係着部を支点として起伏可能であって該起伏動作により前記嵌合部を前記凹部から脱着可能とされ、該嵌合部は凹部への嵌合状態において下方へと更に押し込むことで前記切り込み部を打ち抜いて飲み口となる開口部を形成可能とされてなることを特徴とする飲料缶のリキャップ可能な缶蓋構造。
【請求項６】
前記キャップにはプルタブが装着され、該プルタブは、前記飲料缶の上面と平行面にて回動可能であって、前記係着部と反対方向に回動させたときのみに上面視にて飲料缶の上面から突出することを特徴とする請求項５記載の飲料缶のリキャップ可能な缶蓋構造。
【請求項７】
前記凹部は飲料缶の上面から下方に向けて外方に拡径するように窪んでおり、前記切り込み部は一部分のみにおいて切り込み部が無い接続部分がある上面視円形に形成され、前記嵌合部の底面は該接続部分に相対する部分においてのみ拡径されてなることを特徴とする請求項５又は６記載の飲料缶のリキャップ可能な缶蓋構造。
【請求項８】
前記係着部は、飲料缶の上面の加工によって形成された係止部により別部材を介することなく飲料缶の上面に係着されてなることを特徴とする請求項５乃至７いずれかに記載の飲料缶のリキャップ可能な缶蓋構造。
【発明の詳細な説明】
【０００１】
【発明の属する技術分野】
本発明は飲料缶の缶蓋構造に関し、より詳しくは、飲料缶の開栓作業を容易に行うことができるとともに、一旦開栓した後であっても再び密封性の高い状態に蓋をすることが可能であり、しかも比較的低コストで生産できる飲料缶のリキャップ可能な缶蓋構造に関する。
【０００２】
【従来の技術】
現在、アルミニウム缶やスチール缶等の飲料缶の缶蓋構造としては、いわゆるステイオンタブ式の開栓手段とされたものが広く普及している。
図２１はステイオンタブ式の開栓手段を有する飲料缶の上面図である。
このようなステイオンタブ式の開栓手段では、プルタブ（Ａ）に指先を引っ掛けてピン（Ｂ）を支点として起こすことにより、蓋片（Ｃ）の周囲に形成された切り込み部（Ｄ）を缶の上面（Ｅ）から切り離して蓋片（Ｃ）を下方に折り曲げ、その後プルタブ（Ａ）を元に戻すことによって開栓が行われる。
しかしながら、このようなステイオンタブ式の開栓手段は、プルタブ（Ａ）と缶の上面（Ｅ）との間の隙間が小さく、しかもプルタブ（Ａ）を起こすためには比較的大きな力が必要であるため、爪を長く伸ばしている女性や爪を短く切っている人、或いは指の力が弱い子供等にとってはプルタブ（Ａ）を起こすことが困難である場合があった。
【０００３】
また、飲料を一度に全部飲みきらずに缶に残った状態で暫く置いておくことは一般的によく行われるが、ステイオンタブ式の開栓手段を有する飲料缶では、一旦開栓してしまうと再び蓋をすることができないため、そのまま置いておくと缶を倒して飲料をこぼしてしまったり、飲料が炭酸飲料である場合には炭酸が抜けてしまうという不都合が生じていた。
尚、このような不都合を解消するために、缶の上面を覆うように被せることができるキャップも存在しているが、このようなキャップは単に缶の巻締部に嵌着するだけの構造であるから、開口する際の困難性は解決されず、しかも飲料のこぼれや炭酸の抜けなどの不都合についても完全に解消することはできなかった。
【０００４】
また、上記したような問題点を解決するために、ステイオンタブ式とは全く異なる方式の開栓手段も種々提案されているが、全く新しい開栓手段を採用した場合には、それに合わせて新規の生産設備を構築する必要があるため、生産コストが高くなってしまうという問題があった。
【０００５】
【発明が解決しようとする課題】
本発明は上記した従来技術の問題点を解決すべくなされたものであって、飲料缶の開栓作業を極めて容易に行うことができるとともに、一旦開栓した後であっても再び密封性の高い状態に蓋をすることが可能であり、しかも構造が簡単であって従来の生産設備を流用して生産コストを低く抑えることが可能な飲料缶のリキャップ可能な缶蓋構造を提供せんとするものである。
【０００６】
【課題を解決するための手段】
請求項１に係る発明は、飲み口となる開口部を形成するための切り込み部が上面に設けられた飲料缶と、該飲料缶の上面に嵌着されるキャップとから構成されてなり、前記キャップは、飲料缶の上面に嵌着した状態で上部より押し込むことにより前記切り込み部の内側を打ち抜いて開口部を形成する筒状のノズル部と、該ノズル部の上面を覆うように着脱可能に嵌合される上蓋とを備えてなることを特徴とする飲料缶のリキャップ可能な缶蓋構造に関する。
請求項２に係る発明は、前記飲料缶の上面に、前記キャップを飲料缶の上面に嵌着したときにノズル部が嵌入する凹部が形成され、該凹部に前記切り込み部が形成されてなることを特徴とする請求項１記載の飲料缶のリキャップ可能な缶蓋構造に関する。
請求項３に係る発明は、前記上蓋が、ノズル部の上面を覆うプレート部と、該プレート部の下方に延出されてノズル部に嵌着される嵌着部とからなり、前記プレート部の一端部がキャップの上面に対して回動可能に固着されてなることを特徴とする請求項１又は２記載の飲料缶のリキャップ可能な缶蓋構造に関する。
請求項４に係る発明は、前記プレート部の他端部が、上面視にてキャップの上面から突出してなることを特徴とする請求項３記載の飲料缶のリキャップ可能な缶蓋構造に関する。
【０００７】
請求項５に係る発明は、上面の飲み口となる部分に設けられた凹部と該凹部に形成された切り込み部を有する飲料缶と、該飲料缶の凹部の上部を覆うように嵌合される嵌合部と飲料缶の上面に係着された係着部を有するキャップとを備え、該キャップは前記係着部を支点として起伏可能であって該起伏動作により前記嵌合部を前記凹部から脱着可能とされ、該嵌合部は凹部への嵌合状態において下方へと更に押し込むことで前記切り込み部を打ち抜いて飲み口となる開口部を形成可能とされてなることを特徴とする飲料缶のリキャップ可能な缶蓋構造に関する。
請求項６に係る発明は、前記キャップにはプルタブが装着され、該プルタブは、前記飲料缶の上面と平行面にて回動可能であって、前記係着部と反対方向に回動させたときのみに上面視にて飲料缶の上面から突出することを特徴とする請求項５記載の飲料缶のリキャップ可能な缶蓋構造に関する。
【０００８】
請求項７に係る発明は、前記凹部は飲料缶の上面から下方に向けて外方に拡径するように窪んでおり、前記切り込み部は一部分のみにおいて切り込み部が無い接続部分がある上面視円形に形成され、前記嵌合部の底面は該接続部分に相対する部分においてのみ拡径されてなることを特徴とする請求項５又は６記載の飲料缶のリキャップ可能な缶蓋構造に関する。
請求項８に係る発明は、前記係着部は、飲料缶の上面の加工によって別部材を介することなく飲料缶の上面に係着されてなることを特徴とする請求項５乃至７いずれかに記載の飲料缶のリキャップ可能な缶蓋構造に関する。
【０００９】
【発明の実施の形態】
以下、本発明に係る飲料缶のリキャップ可能な缶蓋構造（以下、単に缶蓋構造という）の好適な実施形態について、図面を参照しつつ説明する。
先ず、本発明に係る缶蓋構造の第一実施形態について説明する。
第一実施形態の缶蓋構造は、飲み口となる開口部を形成するための切り込み部が上面に設けられた飲料缶（１）と、該飲料缶（１）の上面に嵌着されるキャップ（２）とから構成される。
【００１０】
図１は飲料缶（１）の上面図であり、図２は図１のＡ―Ａ線断面図であり、図３は図２の一部を拡大して抽出した図である。
本発明における飲料缶（１）は、その上面部の構成のみが従来のものと異なっており、それ以外の部分については従来のステイオンタブ式等の飲料缶の構成と全く同じであるため、図２においてはその上方部分のみを示している。
【００１１】
飲料缶（１）の上面には、図１に示すように、中央からやや周端部寄りの位置において上面視円形の凹部（３）が形成されている。この凹部（３）は、図２に示すように、飲料缶（１）の表面から垂直ではなくやや外方に拡がるように下方に向けて窪んでおり、凹部（３）の底面は中央に向けてなだらかに隆起した形状となっている。
【００１２】
凹部（３）には、その周縁部に略沿うように飲み口となる開口部を形成するための上面視円形の切り込み部（１２）が設けられている。この切り込み部（１２）は、上面から一定の貫通しない深さで切り込まれており、上部から押圧力が加わることによって容易にせん断されるようになっている。
但し、切り込み部（１２）は完全な円形に設けられているのではなく一部において円が途切れており、そのため切り込み部（１２）が押圧力によってせん断されても凹部（３）が飲料缶（１）から完全に分離脱落することはない。
【００１３】
また、凹部（３）の上端開口部の内径は、後述するノズル部（６）の外径と略等しく設定されている一方、切り込み部（１２）の径はノズル部（６）の外径よりも僅かに大きい径とされている。
これにより、後記する如くキャップ（２）を飲料缶（１）に嵌着してノズル部（６）を凹部（３）に嵌入させた時に、ノズル部（６）の外面が凹部（３）の内面に密着してしっかりと固定されるとともに、キャップ（２）を飲料缶（１）に嵌着した状態で更にキャップ（２）を上部から押し込んだときに、ノズル部（６）の先端が切り込み部（１２）の僅かに内側を押圧するようになるため、飲料缶（１）の上面が切り込み部（１２）にて確実且つ容易にせん断される。
【００１４】
図４はキャップ（２）の上面図であり、図５は図４のＡ−Ａ線断面図である。キャップ（２）は、飲料缶（１）の上面を覆うことが可能な上面視円形の部材であって、可撓性を有する合成樹脂や金属等から形成される。
キャップ（２）の外周端部には、飲料缶（１）の上部巻締部（４）に係合可能な係合部（５）が下向きに延出形成され、この係合部（５）を巻締部（４）に係合させることにより、キャップ（２）を飲料缶（１）の上面に嵌着させることが可能とされている。
尚、キャップ（２）は必ずしも図示例の如く飲料缶（１）の上面全体を覆うように形成する必要は無く、飲料缶（１）の上面の一部のみを覆うように形成してもよい。この場合には、例えば、キャップ（２）を両端部が円弧状とされた上面視略長方形状に形成し、両端部に設けた係合部（５）を飲料缶（１）の巻締部（４）の対向する２箇所に係合させるようにすればよい。このような構成によれば、キャップの材料コストを低減することができる。
【００１５】
また、キャップ（２）の中央からやや周端部寄りの位置であって、飲料缶（１）の凹部（３）に対応する位置には、円筒状のノズル部（６）が下向きに延出形成されている。このノズル部（６）の外径は凹部（３）の内径と略等しくされるとともに、その長さは飲料缶（１）の巻締部（４）の上端部から凹部（３）の下端部までの高さ方向距離と等しいか僅かに短く形成されている。
この構成により、係合部（５）を巻締部（４）に係合させて飲料缶（１）の上面にキャップ（２）を嵌着させただけでは、ノズル部（６）が凹部（３）に入り込むが凹部（３）を押圧することはないので開栓はされない（図６参照）。そして、開栓する際には、キャップ（２）のノズル部（６）付近を上部から押し込むと、キャップ（２）が撓んでノズル部（６）の下端部が凹部（３）を押し、この押圧力によって凹部（３）の底面が切り込み部（１２）にてせん断され、飲料缶上面の切り込み部（１２）の内側が打ち抜かれる。これによって、飲料缶（１）の上面に飲み口となる開口部（７）が形成される（図７参照）。
【００１６】
ノズル部（６）の上部には、その上面開口部を覆うように上蓋（８）が着脱可能に嵌合されている。
上蓋（８）は、ノズル部（６）の上面を覆うプレート部（９）と、このプレート部（９）から下方に延出されてノズル部（６）の内面に嵌着される円筒状の嵌着部（１０）とから構成されている。
プレート部（９）は、図４及び図５に示すように、その上面視における一端部がヒンジ（１１）を介してキャップ（２）の上面に回動可能に固着されており、他端部は上面視にてキャップ（２）の上面から突出するように形成されている。これにより、利用者は、キャップ（２）の上面から突出した部分に指を掛けてヒンジ（１１）を支点としてプレート部（９）を回動起伏させることで（図８参照）、極めて容易に上蓋（８）の開閉操作を行うことが可能となる。
尚、プレート部（９）の一端部をキャップ（２）の上面に回動可能に固着する方法については特に限定はされず、例えば、キャップ（２）の上面に円筒状部を設け、この円筒状部にプレート部（９）の一端部に設けた円柱状部を回動可能に挿入する方法など、適宜任意の方法を用いることができる。
【００１７】
以下、上記した本発明の第一実施形態に係る缶蓋構造の作用を順を追って説明する。
先ず、キャップ（２）の係合部（５）を巻締部（４）に係合させることにより、飲料缶（１）の上面にキャップ（２）を嵌着させる（図６参照）。このキャップ（２）の嵌着は製造工程にて予め行っておくことが好ましいが、飲料缶（１）を購入する利用者が自分で嵌着するようにしても構わない。
そして、利用者が飲料缶（１）を開栓する際には、キャップ（２）の上面を指等で押して撓ませると、ノズル部（６）の下端部が凹部（３）を押し、この押圧力によって飲料缶（１）の上面が切り込み部（１２）にてせん断されて飲料缶上面の切り込み部（１２）の内側が打ち抜かれ、飲料缶（１）の上面に飲み口となる開口部（７）が形成される（図７参照）。
このようにして開栓が終わると、キャップ（２）のノズル部（６）上面に嵌合された上蓋（８）を開くことによって、飲料缶（１）内の飲料を取り出して飲むことが可能となる（図８参照）。
そして、開栓した飲料缶（１）内の飲料を飲みきれずに残った場合には、開いた上蓋（８）を再びノズル部（６）上面に嵌合させることで閉じれば、缶の密封性を長期間に亘って保つことが可能となる。
【００１８】
次に、本発明に係る缶蓋構造の第二実施形態について説明する。
第二実施形態の缶蓋構造は、飲料缶（１）と、該飲料缶（１）の上面に取り付けられたキャップ（２）と、該キャップ（２）の上部に取り付けられたプルタブ（１３）から構成される。
【００１９】
図９は飲料缶（１）の上面図であり、図１０は図９のＡ―Ａ線断面図であり、図１１は図１０の一部を拡大して抽出した図である。
第二実施形態における飲料缶（１）も、その上面部の構成のみが従来のものと異なっており、それ以外の部分については従来のステイオンタブ式等の飲料缶の構成と全く同じであるため、図１０においてはその上方部分のみを示している。
【００２０】
飲料缶（１）の上面には、図９に示すように、中央からやや周端部寄りの位置の飲み口となる部分に上面視円形の凹部（３）が形成されている。この凹部（３）は、図１０に示すように、飲料缶（１）の表面から垂直ではなくやや外方に拡がるように下方に向けて窪んでおり、凹部（３）の底面は中央に向けてなだらかに隆起した形状となっている。
【００２１】
凹部（３）には、その周縁部に略沿うように飲み口となる開口部を形成するための上面視円形の切り込み部（１２）が設けられている。この切り込み部（１２）は、第一実施形態の場合と同様に、図１１に示すように、上面から一定の貫通しない深さで切り込まれており、上部から押圧力が加わることによって容易にせん断されるようになっている。
但し、切り込み部（１２）は完全な円形に設けられているのではなく一部において円が途切れた接続部分（１４）が存在しており、そのため切り込み部（１２）が押圧力によってせん断されても凹部（３）が飲料缶（１）から完全に分離脱落することはない。
【００２２】
また、飲料缶（１）の上面には、後述するキャップ（２）の係着部を係着するための係止部（１５）が、凹部（３）と反対側の缶上面中央からやや周端部寄りの位置に設けられている。
この係止部（１５）は、飲料缶（１）と別体の部材ではなく、飲料缶（１）の上面の蓋板を加工することにより直接飲料缶（１）の上面に形成されている。係止部（１５）の形成方法については、キャップ（２）の係着部を係着する方法と併せて後述するが、簡単に述べると、飲料缶（１）の上面に溝状凹部を形成し、この溝状凹部の対向する開口部上端同士を該溝状凹部の中央部において密着させることにより形成されている。
【００２３】
図１２（ａ）はキャップ（２）の上面図であり、（ｂ）は（ａ）のＡ―Ａ線断面図である。
キャップ（２）は、飲料缶（１）の凹部（３）に嵌合される嵌合部（１６）と、飲料缶（１）の上面に形成された係止部（１５）に係着される係着部（１７）とを有している。
【００２４】
嵌合部（１６）は、切り込み部（１２）が打ち抜かれて開口部が形成された後に開口部を覆う蓋の役割を果たす上面視円形の蓋部（１８）と、この蓋部（１８）の外周縁部から上方に延出されて嵌合部（１６）を凹部（３）へと係合させる役割を果たす係合部（１９）とを備えている。
蓋部（１８）は、底部から上方に向けて球面状に盛り上がっており、その頂点にはプルタブ（１３）を装着するためのリベット状部（２０）が形成されている。
【００２５】
係合部（１９）の外周面には、リング状の凸部（２１）が形成されている。この凸部（２１）の径は凹部（３）の上部径よりも僅かに大きくされており、開栓する際に嵌合部（１６）を強く押し込むことで凹部（３）に係合され、これによって嵌合部（１６）が凹部（３）から容易に外れないようになるとともに、缶の密封性が保たれる。尚、缶の密封性を更に高めるために、係合部（１９）にパッキンを装着することも可能である。
また、嵌合部（１６）の底面は円形となっているが、その一部において拡径されている。拡径されていない円形状部分は、切り込み部（１２）の径よりも僅かに小さい径とされており、これにより開栓する際には嵌合部（１６）の底面が切り込み部（１２）の僅かに内側を押圧するようになり、切り込み部（１２）が確実且つ容易にせん断される。一方、拡径部分（掛止部（２２）と称す）は、切り込み部（１２）の径及び凹部（３）の上部径よりも僅かに大きくされており、この掛止部（２２）は開栓前において凹部（３）に係合されることによって、開栓前の状態で嵌合部（１６）が凹部（３）から容易に外れないようにする役割を果たす。尚、この掛止部（２２）は、切り込み部（１２）の接続部分（１４）と相対する位置に設けると機能的であるため好ましく、このときの掛止部（２２）と切り込み部（１２）の上面視における位置関係を図１３に示す。
【００２６】
係合部（１９）の外周上端部の一部から水平方向に延出された延出部分には、上面視にて四角形の枠状部（２３）が形成されており、この枠状部（２３）の延出部分の先端に当たる直線状部分は図１２（ｂ）に示すように下向きに円筒状に折り曲げ加工されて係着部（１７）となっている。
このように形成された係着部（１７）は、飲料缶（１）の上面に形成された係止部（１５）に回動可能に係着される。
【００２７】
図１４はこの係着方法を示す説明図である。
先ず、（ａ）に示す如く飲料缶（１）の上面に溝状凹部（２４）を形成する。このとき、溝状凹部（２４）を挟んだ両辺部が缶の上面から立ち上がるようにする。次いで（ｂ）に示す如く溝状凹部（２４）の中に係着部（１７）を嵌入し、最後に（ｃ）に示す如く溝状凹部（２４）を挟んで立ち上がった部分同士を内側下方へと押圧して、立ち上がり部が互いに密着し且つ缶の上面と面一となるように変形させることによりなされる。
このようにキャップ（２）の係着部（１７）が飲料缶（１）の係止部（１５）に対して係着されることで、キャップ（２）は係着部を支点として缶の上面に対して回動して起伏可能となる。
【００２８】
図１５（ａ）はプルタブ（１３）の上面図であり、（ｂ）は（ａ）のＡ―Ａ線断面図である。
プルタブ（１３）は長細い略平板状の部材であって、その一端部寄り位置にはキャップ（２）のリベット状部（２０）が挿入される固定用孔（２５）が形成され、他端部寄り位置には指先を挿入することができる指挿入用孔（２６）が形成されている。
【００２９】
プルタブ（１３）は固定用孔（２５）に、キャップ（２）に設けられたリベット状部（２０）の軸部が挿入されることで、飲料缶（１）の上面と平行面にてキャップ（２）に対して回動可能となっている。
図１６は、プルタブ（１３）をキャップ（２）に対して回動させる様子を示す図であり、図示の如く、プルタブ（１３）は係着部（１７）と反対方向に回動させたときのみに上面視にて飲料缶（１）の上面から突出するようになっている。この構成により、開栓前においては、実線で示す如く、プルタブ（１３）が飲料缶（１）の上面から突出しないようにしておくことで邪魔になるのを防ぐことができ、一方、開栓時においては、プルタブ（１３）を回動させて、仮想線で示す如く、飲料缶（１）の上面から突出させることで指を引っ掛けて起こし易くすることができる。
【００３０】
以下、第二実施形態に係る缶蓋構造の作用を順を追って説明する。
先ず、流通時等の開栓前においては、図１７に示すように、飲料缶（１）の凹部（３）に、キャップ（２）の嵌合部（１６）が嵌合されている。この状態では、凹部（３）は打ち抜かれていない。また、嵌合部（１６）の掛止部（２２）が凹部（３）に係合されていることによって、キャップ（２）が凹部（３）から容易に外れることが防止されている。
【００３１】
そして、飲料缶を開栓する際には、図１７に示す状態から、プルタブ（１３）が装着されているキャップ（２）の嵌合部（１６）を上から強く押圧する。このとき、キャップ（２）を強く叩くように押し込むとよい。
すると、凹部（３）の切り込み部（１２）のすぐ内側部分がキャップ（２）の嵌合部（１６）の底面によって押され、この押圧力によって凹部（３）が切り込み部（１２）にてせん断される。これによって、図１８に示すように切り込み部（１２）の内側が打ち抜かれ、飲料缶（１）の凹部（３）に飲み口となる開口部（７）が形成される。
【００３２】
このようにして開栓が終わると、キャップ（２）の上部に装着されたプルタブ（１３）を、図１６に示すように、プルタブ（１３）をキャップ（２）に対して回動させて、プルタブ（１３）の端部が飲料缶（１）の上面から突出する状態とする。尚、このプルタブ（１３）を回動させた状態の断面図を図１９に示す。
次いで、プルタブ（１３）の飲料缶（１）の上面から突出した部分に指を引っ掛けて起こしながら指挿入用孔（２６）に指を挿入して更に引き起こすと、図２０に示すように、プルタブ（１３）と共にキャップ（２）が係着部（１７）を支点として上方に回動して引き起こされて凹部（３）から離脱し、開口部（７）が開放された状態となるため、飲料缶（１）内の飲料を取り出して飲むことが可能となる。
【００３３】
そして、開栓した飲料缶（１）内の飲料を飲みきれずに残った場合には、引き起こしたキャップ（２）を下方へと回動させて、図１９に示すように再び嵌合部（１６）を凹部（３）に嵌合させると、開口部（７）がキャップ（２）の嵌合部（１６）によって閉じられる。このとき、リング状の凸部（２１）が凹部（３）の内面に密着状態で係合されることで、缶の密封性が保たれ漏洩を防止することが可能となる。
【００３４】
以上説明した本発明に係る缶蓋構造は、同じ外径であればアルミニウム缶やスチール缶など、缶の種類を問わず適用することができる。
【００３５】
【発明の効果】
以上説明したように、請求項１に係る発明によれば、キャップを飲料缶の上面に嵌着して上部から押し込むだけで、飲料缶の開栓を行うことができるから、爪の長い女性や指の力が弱い子供等であっても開栓作業を極めて容易に行うことが可能である。また、一旦開栓した後であっても、上蓋を閉じることによって再び密封性の高い状態に保つことが可能となる。しかも、飲料缶に切り込み部を設ける構成自体は従来のステイオンタブ式の缶と同様であるから、従来の生産設備を流用することが可能となり生産コストを低く抑えることができる。
請求項２に係る発明によれば、ノズル部が凹部に嵌入することで飲料缶に対してキャップが強固に固定されるため、キャップが飲料缶から外れにくく、一旦開栓した飲料缶に内容物が残った場合でも蓋を閉じることで再び缶の密封性を高く保つことが可能となり、缶を誤って倒したとしても内容物がこぼれることがなく、また残った内容物の味や風味が低下しにくい。
請求項３に係る発明によれば、上蓋の開閉を容易に行なうことが可能となる。請求項４に係る発明によれば、キャップの上面から突出した部分に指を引っ掛けることで、上蓋の開閉を極めて容易に行なうことができる。
【００３６】
請求項５に係る発明によれば、キャップを上部から押し込むだけで、飲料缶の開栓を行うことができるから、爪の長い女性や指の力が弱い子供等であっても開栓作業を極めて容易に行うことが可能である。また、一旦開栓した後であっても、キャップを閉じることによって再び密封性の高い状態に保つことが可能となる。しかも、飲料缶に切り込み部を設ける構成自体は従来のステイオンタブ式の缶と同様であるから、従来の生産設備を流用することが可能となり生産コストを低く抑えることができる。
請求項６に係る発明によれば、プルタブが回動可能とされていることで、製造や流通の際にはプルタブが邪魔にならず、開栓の際には容易にプルタブに指を引っ掛けてキャップを引き起こすことが可能となる。
請求項７に係る発明によれば、拡径部分が凹部に係合されるので、開栓前の状態でキャップが凹部から容易に外れないようになり、また開栓の際にも拡径部分が打ち抜きの邪魔になることがなく機能的である。
請求項８に係る発明によれば、キャップを飲料缶の上面に対して起伏させるための構造を、簡易な方法で安価に提供することができる。
【図面の簡単な説明】
【図１】第一実施形態に係る缶蓋構造における飲料缶の上面図である。
【図２】図１のＡ―Ａ線断面図である。
【図３】図２の一部を拡大して抽出した図である。
【図４】第一実施形態に係る缶蓋構造におけるキャップの上面図である。
【図５】図４のＡ−Ａ線断面図である。
【図６】第一実施形態に係る缶蓋構造の作用を示す図である。
【図７】第一実施形態に係る缶蓋構造の作用を示す図である。
【図８】第一実施形態に係る缶蓋構造の作用を示す図である。
【図９】第二実施形態に係る缶蓋構造における飲料缶の上面図である。
【図１０】図９のＡ―Ａ線断面図である。
【図１１】図１０の一部を拡大して抽出した図である。
【図１２】（ａ）は第二実施形態に係る缶蓋構造におけるキャップの上面図であり、（ｂ）は（ａ）のＡ―Ａ線断面図である。
【図１３】掛止部と切り込み部の上面視における位置関係を示す図である。
【図１４】第二実施形態に係る缶蓋構造のキャップの飲料缶上面への係着方法を示す説明図である。
【図１５】（ａ）は第二実施形態に係る缶蓋構造におけるプルタブの上面図であり、（ｂ）は（ａ）のＡ―Ａ線断面図である。
【図１６】プルタブをキャップに対して回動させる様子を示す図である。
【図１７】第二実施形態に係る缶蓋構造の飲料缶の開栓前の状態を示す断面図である。
【図１８】第二実施形態に係る缶蓋構造の切り込み部の内側を打ち抜いて開栓した状態を示す断面図である。
【図１９】第二実施形態に係る缶蓋構造の嵌合部を凹部に嵌合させた状態を示す断面図である。
【図２０】第二実施形態に係る缶蓋構造のプルタブと共にキャップを引き起こして凹部から離脱させた状態を示す断面図である。
【図２１】従来のステイオンタブ式の開栓手段を有する飲料缶の上面図である。
【符号の説明】
１　　　飲料缶
２　　　キャップ
３　　　凹部
６　　　ノズル部
７　　　開口部
８　　　上蓋
９　　　プレート部
１０　　嵌着部
１１　　ヒンジ
１２　　切り込み部
１３　　　プルタブ
１４　　　接続部分
１５　　　係止部
１６　　　嵌合部
１７　　　係着部
２２　　　拡径部分（掛止部）
【図１】
2004001782.tif 000003
【図２】
2004001782.tif 000004
【図３】
2004001782.tif 000005
【図４】
2004001782.tif 000006
【図５】
2004001782.tif 000007
【図６】
2004001782.tif 000008
【図７】
2004001782.tif 000009
【図８】
2004001782.tif 000010
【図９】
2004001782.tif 000011
【図１０】
2004001782.tif 000012
【図１１】
2004001782.tif 000013
【図１２】
2004001782.tif 000014
【図１３】
2004001782.tif 000015
【図１４】
2004001782.tif 000016
【図１５】
2004001782.tif 000017
【図１６】
2004001782.tif 000018
【図１７】
2004001782.tif 000019
【図１８】
2004001782.tif 000020
【図１９】
2004001782.tif 000021
【図２０】
2004001782.tif 000022
【図２１】
2004001782.tif 000023